(57)【要約】【課題】エンジン制御器用の電気エネルギーを供給する方法および装置において、電気エネルギーを簡単に発生させ蓄積することができるようにする。【解決手段】内燃エンジン（７）を始動する前に、電源（１１）によって電気機械式または光起電式に電気エネルギーを発生させる。エネルギーを、作業機（１）内に配置される充電可能なエネルギー蓄積装置（１６）に供給する。内燃エンジン（７）をスタートさせるための最初のロープストロークの際に蓄積されたエネルギーをエンジン制御器（１７）に供給する。【選択図】図３
2011127595.tif 000002
【特許請求の範囲】
【請求項１】
手で操縦される作業機（１）で引張りロープを用いてスタートさせる内燃エンジン（７）を始動する前にエンジン制御器（１７）用の電気エネルギーを供給するための方法であって、前記エンジン制御器（１７）の電気エネルギーのために電源（１１，１４）が設けられている前記方法において、
前記内燃エンジン（７）を始動する前に、前記電源（１１，１４）によって電気機械式または光起電式に電気エネルギーを発生させること、
前記エネルギーを、前記作業機（１）内に配置される充電可能なエネルギー蓄積装置（１６）に供給すること、
前記内燃エンジン（７）をスタートさせるための最初のロープストロークの際に蓄積されたエネルギーを前記エンジン制御器（１７）に供給すること、
を特徴とする方法。
【請求項２】
最初の点火のために前記エネルギー蓄積装置（１６）に蓄積されているエネルギーを点火回路（１８）に供給することを特徴とする、請求項１に記載の方法。
【請求項３】
前記電源（１１）を操作者が機械式で駆動させることを特徴とする、請求項１または２に記載の方法。
【請求項４】
電気エネルギーを発生させるために、手で操作されるダイナモ（１１）を操作し、これによって前記エネルギー蓄積装置（１６）を充電し、前記ダイナモ（１１）を並進運動、振動運動または回転運動によって駆動することを特徴とする、請求項１から３までのいずれか一つに記載の方法。
【請求項５】
前記内燃エンジン（７）の始動前に電気エネルギーを発生させるため、前記引張りロープを１回または複数回操作し、これによって、クランク軸によって駆動される発電機に発生するエネルギーを、前記エネルギー蓄積装置（１６）に供給することを特徴とする、請求項１に記載の方法。
【請求項６】
前記電源（１１）の機械式駆動部を用いて、燃料搬送および／または最初の燃料作動圧を提供する燃料ポンプを機械式または電気式で操作することを特徴とする、請求項３から５までのいずれか一つに記載の方法。
【請求項７】
前記エンジン制御器（１７）において、前記内燃エンジン（７）のスタートの前にセンサおよびアクチュエータの機能性の検査を行い、その際に少なくとも前記内燃エンジン（７）のエネルギー管理を考慮し、且つ前記内燃エンジン（７）のスタートに関する決定を行うためにセンサ信号の信頼性を考慮することを特徴とする、請求項１から６までのいずれか一つに記載の方法。
【請求項８】
エンジン制御器（１７）の電気エネルギー用の電源（１１，１４）を備えた、引張りロープを用いて始動される内燃エンジン（７）のスタートの前に前記エンジン制御器（１７）用の電気エネルギーを供給するための装置において、
電気機械式または光起電式の電源（１１，１４）と、該電源と導電接続されているエネルギー蓄積装置（１６）とが設けられ、該エネルギー蓄積装置（１６）が出力側で前記エンジン制御器（１７）と導電接続されていることを特徴とする装置。
【請求項９】
前記電源として、手で操作されるダイナモ（１１）が設けられていることを特徴とする、請求項８に記載の装置。
【請求項１０】
前記電源として、作業機に組み込まれ、クランク軸によって駆動される発電機が設けられていることを特徴とする、請求項８に記載の装置。
【請求項１１】
前記電源として、スタート装置（２０）に配置される少なくとも１つの永久磁石（３２）と、該永久磁石（３２）に付設されるコイル（３３）とが設けられていることを特徴とする、請求項８に記載の装置。
【請求項１２】
前記電源として、太陽電池（１４）またはピエゾ素子（４０）が設けられていることを特徴とする、請求項８に記載の装置。
【請求項１３】
前記エネルギー蓄積装置（１６）がコンデンサを含み、特に電解コンデンサを含んでいることを特徴とする、請求項８から１２までのいずれか一つに記載の装置。
【請求項１４】
前記エネルギー蓄積装置（１６）の出力側に点火回路（１８）が接続されていることを特徴とする、請求項８から１３までのいずれか一つに記載の装置。
【請求項１５】
前記内燃エンジン（７）のスタート前の前記エネルギー蓄積装置（１６）の十分な充電状態を表示する発光表示器（１５）が設けられていることを特徴とする、請求項８から１４までのいずれか一つに記載の装置。
【請求項１６】
前記スタート前に燃料圧を供給するため、機械式燃料ポンプが設けられていることを特徴とする、請求項８から１５までのいずれか一つに記載の装置。
【発明の詳細な説明】
【技術分野】
【０００１】
本発明は、請求項１の上位概念に記載した種類のエンジン制御器用の電気エネルギーを供給する方法、および、請求項８の上位概念に記載した種類のエンジン制御器用の電気エネルギーを供給する装置に関するものである。
【背景技術】
【０００２】
パワーチェーンソー、刈払い機、切断研磨機、枝切り機、吸込／送風機のような手で操縦される作業機には、通常引張りロープで始動される内燃エンジンが装備されることが多い。作業機内に配置される発電機はクランク軸によって駆動され、その結果内燃エンジンの作動中に点火回路およびエンジン制御器用に十分な供給電圧が提供される。始動段階では、すなわち最初のロープストロークから所定の回転数に達するまでは、エンジン制御器の、またはマイクロプロセッサによって制御される点火装置の即座の機能を確保するには、発電機によって提供される電圧では不十分である。この欠点を解消するため、内燃エンジンの始動段階でエンジン制御器または電子点火装置の機能に必要な電圧供給を行うアキュムレータを使用することがすでに提案された。しかしながら、このようなアキュムレータは負荷の頻度または一定時間経過後に交換しなければならず、すなわち内燃エンジンの良好なスタート態勢を保証するには、アキュムレータの管理と定期的な充電とが必要である。
【発明の概要】
【発明が解決しようとする課題】
【０００３】
本発明の課題は、冒頭で述べた種類の、エンジン制御器用の電気エネルギーを供給する方法において、電気エネルギーを簡単に発生させ蓄積することができるようにすることである。さらに本発明の課題は、電気エネルギーを発生させ蓄積させる前記方法を実施するための装置を提供することである。
【課題を解決するための手段】
【０００４】
この課題は、方法に関しては、請求項１の構成要件の組み合わせによって解決され、装置に関しては、請求項８の構成要件の組み合わせによって解決される。
【０００５】
本発明によれば、内燃エンジンをスタートさせる前に作業機自体に電気エネルギーを発生させ、この電気エネルギーを内燃エンジンをスタートさせるまで蓄積することが可能になる。このために必要な構成要素は保守が必要でなく、わずかな構成空間を必要とするにすぎない。
【０００６】
本発明の他の構成では、エネルギーは最初の点火および有利にはこれに続く点火にも利用することができ、このために、エネルギー蓄積装置内に蓄積されたエネルギーを点火回路に供給される。
【０００７】
電気機械の原理または電気力学の原理に基づく電圧発生は種々の態様で行うことができ、たとえば機械的に手で操作されるダイナモによって行うことができる。このために並進運動（たとえばスライダ）、振動運動（たとえばプッシュキー）、または回転運動（たとえばクランクまたは回転ボタン）を駆動手段として使用することができる。これとは択一的に、引張りロープを複数回操作し（合目的には内燃エンジンへの燃料供給を遮断して）、これによって、クランク軸によって駆動される発電機に発生するエネルギーを、エネルギー蓄積装置に供給することも可能である。また、電源として１個または複数個の永久磁石を設け、これにコイルを付設し、その結果（クランク軸が回転しなくとも）、たとえば引張りロープのようなスタート装置を操作して電圧をコイル内に誘導するようにしてもよい。
【０００８】
本発明による装置の他の構成では、電源として太陽電池を設ける。太陽電池に光起電方式で発生した電圧はエネルギー蓄積装置を充電し、内燃エンジンのスタート時にこのエネルギー蓄積装置からエネルギーを呼び出すことができる。太陽電池とは択一的に、電源として、すでに述べた手で操作されるダイナモ、または、作業機に組み込まれてクランク軸によって駆動される発電機を用いることもできる。
【０００９】
電気エネルギーをこの種の作業機に発生させる他の可能性は、ピエゾ素子に力を作用させることにある。合目的には、電気エネルギーの発生を、燃料の供給および／または最初の燃料作動圧の供給を行う装置と組み合わせる。従って、ピエゾ素子の操作を、燃料ポンプとして作動するパージャーの操作と組み合わせることができる。この場合、電気エネルギーの発生と同時に燃料が搬送され、または、燃料圧が提供され、その結果クランク軸の最初の回転のときに混合気形成用の燃料が提供される。合目的には、気化器において、パージャーの操作とダイナモの操作（ダイナモ・パージャー）とが連動し、その結果機械的にエネルギーが発生するとともに、燃料が搬送され、または、燃料圧が発生する。燃料供給用のシステム（燃料ポンプ）を備えた機器の場合には、エネルギー蓄積装置内にあるエネルギーを適宜燃料搬送に使用することができ、または、最初の燃料圧の提供に使用することができる。
【００１０】
エネルギー蓄積装置はたとえばコンデンサ、特に電解コンデンサを含んでいる。これとは択一的にアキュムレータを設けてもよい。エネルギー蓄積装置の出力側には少なくともエンジン制御器が接続され、有利な実施態様では、エネルギー蓄積装置に補助的に点火回路が接続される。内燃エンジンをスタートさせるために必要なエンジン制御器および場合によっては点火回路用の電気エネルギーがエネルギー蓄積装置内にあるかどうかを操作者が認識するようにするため、信号装置が設けられる。信号装置は、好ましくは、エネルギー蓄積装置の十分な充電状態を表示する発光表示器である。
【００１１】
本発明の他の構成では、スタートの前に燃料圧を提供するため、機械式の燃料ポンプが設けられている。
【図面の簡単な説明】
【００１２】
次に、本発明の実施形態を図面を用いて詳細に説明する。
【図１】パワーチェーンソーとして構成された、手動操作型ダイナモを備える手で操縦される作業機を示す図である。
【図２】太陽電池を備えたパワーチェーンソーのエンジンケースを示す図である。
【図３】電源として手動操作型ダイナモを設けた場合の回路図である。
【図４】電気機械式エネルギー発生装置を備えたスタート装置の縦断面図である。
【図５】パージャーと電気機械式エネルギー発生装置とを備えた気化器の断面図である。
【図６】内燃エンジンのスタート前に行う検査のフローチャートである。
【発明を実施するための形態】
【００１３】
図１にはパワーチェーンソー１が図示されている。このパワーチェーンソー１では、エンジンケース２に前部グリップ３と後部グリップ４とが配置されている。エンジンケース２の前面では、周回するソーチェーン６を備えたガイドレール５が突出している。エンジンケース２内では、気化器８とエアフィルタ９とを備えた内燃エンジン７が設けられている。内燃エンジン７は、スタートのために、始動グリップ１０を用いて引っ張られる引張りロープを介して始動させることができる。エンジンケース２内にはダイナモ１１が配置され、ダイナモ１１は構成に応じて押しボタンまたは回転ボタン１２を用いて操作できる。
【００１４】
エンジンケース２内には、マイクロプロセッサを含んでいる制御器と点火回路とが設けられている。内燃エンジン７を作動させる際の電気エネルギーは、クランク軸によって駆動される発電機によって発生させる。内燃エンジンの始動の際にエンジン制御器および場合によっては点火回路にも即座に十分な電気エネルギーを供給するようにするため、たとえば押しボタン１２を複数回操作することによって電気エネルギーを発生させる前記ダイナモ１１の形態の電圧源が設けられている。この電気エネルギーは図１に図示していないエネルギー蓄積装置に供給され、エネルギー蓄積装置は、引張りロープを用いた内燃エンジン７の始動の際に、スタートに必要な電気エネルギーをエンジン制御器に対し提供し、場合によっては点火回路に提供し、合目的には燃料搬送ポンプに提供する。
【００１５】
エンジン制御器および点火回路を作動させるために十分なエネルギー蓄積装置内の電気エネルギーを表示するため、例えばＬＥＤの形態の発光表示器１５が用いられる。これとは択一的に、ディスプレイまたは蓄積されたエネルギーを表示する他の器具を用いてもよい。
【００１６】
図２は、前部グリップ３と後部グリップ４と始動グリップ１０とを備えたパワーチェーンソー１のエンジンケース１３を示している。エネルギー蓄積装置に供給される電気エネルギーを発生させるため、この実施形態では、エンジンケース１３上に太陽電池１４が設けられている。この種の太陽電池は周知であり、電場を発生させるｐｎ接合部を表面付近に備えた半導体材料から成っている。従って、エネルギーが太陽光の形態で供給される場合、電荷担体が発生し、電荷担体はｐｎ接合部によって異なる方向に誘導され、よって直流電圧を生じさせる。太陽電池１４はエネルギー蓄積装置に給電するための電圧源として用いられ、エネルギー蓄積装置は必要な場合に、すなわち内燃エンジンをスタートさせる際にエンジン制御器および場合によっては点火回路に電気エネルギーを供給する。エンジン制御器および点火回路を作動させるためのエネルギー蓄積装置の待機状態を表示するため、発光表示器１５が用いられる。音信号装置も合目的である。
【００１７】
図３は、電源として手動操作型ダイナモ１１を設けた場合の回路図である。これとは択一的に、電源として、図１に関し説明したように内燃エンジンによって駆動される発電機も用いることができる。他の択一性としては、図２で述べたように太陽電池で電圧を発生させることができる。発生させた電気エネルギーは、いわゆる揮発性エネルギー蓄積装置に供給される。揮発性蓄積装置はたとえばコンデンサを含んでおり、よって蓄積したエネルギーを短時間で実質的に完全に放出する。エンジン制御器および点火回路を作動させるために十分な電気エネルギーが蓄積されると、これを発光表示器１５が信号化する。内燃エンジンを始動させるための最初のロープストロークでエネルギー蓄積装置１６に蓄積される電荷はエンジン制御器１７と点火回路１８とに供給される。この電荷は、内燃エンジンをスタートさせて有利には完全に始動させるために十分なものである。補助的に、燃料供給用の電気システムを備えた機器の場合には、エンジン制御器１７を燃料ポンプおよび燃料弁と接続してよく、その結果電気エネルギーは最初の燃料搬送または燃料供給にも使用される。揮発性エネルギー蓄積装置１６の代わりに、アキュムレータを設けてもよい。
【００１８】
図４はスタート装置２０を示している。このスタート装置２０はたとえばパワーソー、切断研磨機、刈払い機等の手で操縦される作業機のケーシング２１内に配置され、該作業機の内燃エンジンの始動に用いる。スタート装置２０は支持軸２２を有している。支持軸２２はケーシング２１で保持され、該ケーシング２１と一体に形成されていてよい。ケーシング２１は受容部２４を画成する縁部２３を有している。受容部２４内には復帰ばね２４が配置され、復帰ばね２４はコイルばねとして形成されている。受容部２４はローププーリ２６によって閉鎖されている。
【００１９】
ローププーリ２６はハブ２７を用いて回転軸線Ｄのまわりに回転可能に支持軸２２で支持されている。ローププーリ２６はその外周に受容溝２８を有し、受容溝２８内に始動ロープ２９が巻回されている。始動ロープ２９には始動グリップ３０が固定され、始動グリップ３０は作業機のケーシング２１から突出し、操作者が把持することができる。始動グリップ３０のロープは始動ロープ２９の巻き戻しを生じさせ、それによって回転軸線Ｄのまわりでのローププーリ２６の回転駆動を生じさせる。
【００２０】
ローププーリ２６は半径方向において受容溝２８の内側に凹部４２を有し、凹部４２内にはコイルばね４３が配置されている。ローププーリ２６を起点として筒状の縁部４４が延在し、この場合凹部４２と縁部４４とはコイルばね４３を配置するための受容空間を形成している。さらに受容空間内には駆動体４７が配置されている。駆動体４７はハブを用いて回転軸線Ｄのまわりに回転可能に支持軸２２で支持されている。コイルばね４３は一端をローププーリ２６の保持部４５で保持され、他端を駆動体４７の保持部４６で保持されている。これによってコイルばね４３はローププーリ２６の回転運動を駆動体４７へ伝える。コイルばね４３はその内周側でローププーリ２６に設けた案内細条部と駆動体４７に設けた案内細条部とによって案内されている。駆動体４７は図面に図示していないスロットルロックを介して内燃エンジンのクランク軸と結合可能である。受容溝２８を画成しているフランジ３１には複数個の永久磁石３２が配置されている。永久磁石３２に対し軸線方向にわずかな間隔をもって、ケーシング２１内に配置される位置固定のコイル３３が設けられている。
【００２１】
始動グリップ３０または始動ロープ２９を用いてローププーリ２６を操作すると、ローププーリ２６は駆動体４７に対し回転する。ないねなエンジンのピストンと結合されているクランク軸を介してまず駆動体４７が停止し、他方ローププーリ２６は回転する。これによってコイルばね４３が緊張する。その結果コイルばね４３の巻線部が縮径し、同時にコイルばねは長くなる。コイルばね４３が完全に緊張した後、クランク軸に対しては、ローププーリの更なる回転と、緊張したコイルばねの力との双方が作用し、これによって内燃エンジンをスタートさせるために十分な力が与えられる。ローププーリ２６の回転の際に永久磁石３２の運動によってコイル３３内に電圧が誘導され、この電圧は図３に図示したエネルギー蓄積装置１６の充電のために用いる。従って、エンジン制御器および／または点火装置用の電気エネルギーは、すでに内燃エンジンをスタートまたは始動させる前に存在している。
【００２２】
図１で説明した手動で操作されるダイナモの代わりに、図４に対する変形実施形態によれば、ロープ引張りスターターのたとえば２回ないし４回のスタートストロークを、燃料供給を遮断したままで実施し、クランク軸によって駆動される発電機がその中に発生される電気エネルギーをエネルギー蓄積装置に供給するようにしてもよい。その後になってはじめて、更なるロープストロークに対し燃料供給が可能になる。また、ローププーリ内のダイナモとクランク軸との間に、操作可能なクラッチを設けてもよい。
【００２３】
ロープ引張りスターターの１回のロープストロークによって燃料の搬送（パージ）も生じさせることができる。この点は、本出願人の１９９４年の出願に関わる独国特許出願公開第４４１３２７０Ａ１号明細書に記載されており、その開示内容を、特にその図６を、全面的にここに引用する。
【００２４】
図５には、パージャー３６を備えた気化器３５が断面図で図示されている。パージャー３６は、回動可能に支持されているレバー３７を矢印Ｆの方向に押すことにより操作される。レバー３７の、回動軸線３８の右側にある端部は、押圧ピン３９をピエゾ素子４０に対し押圧させ、これによってピエゾ素子４０に電圧が発生し、この電圧は図３に図示したエネルギー蓄積装置１６に供給される。レバー３７を出発位置へ迅速に復帰させるため、復帰ばね４１を設けることができる。このような構成により、内燃エンジンの始動、スタートの前に機械的に燃料が搬送され、同時に内燃エンジンをスタートさせるための電気エネルギーが機械的に生成される。
【００２５】
エネルギー蓄積装置１６が適宜な大きさに選定されていて、たとえば太陽電池に対し比較的長時間の太陽照射によって十分な量のエネルギーを発生させるならば、電気スタートのためのエネルギー供給も可能である。
【００２６】
図６は、内燃エンジンのスタートの前に行うべき、監視されるセンサおよびアクチュエータの機能性に関する検査を、フローチャートで示したものである。この検査を行うためのエネルギーは、図３のエネルギー蓄積装置１６から取り出される。この例では、内燃エンジンのエネルギー管理が正常であるかどうかを確認するために、スタート後にまずエネルギー管理が検査される。検査の結果正常でなければ、すなわち「Ｎｏ」であれば、エラーメモリへのインプットが行われ、正常であれば、次のステップとしてセンサの検査を行う。ここでは例えば圧力センサ、温度センサ、スタート・ストップスイッチの位置センサ等のすべてのセンサが信頼性の検査対象になり、ここでも、検査結果が正常でなければ、すなわち「Ｎｏ」であれば、エラーメモリへのインプットが行われる。検査結果が正常であれば、エラーメモリ内にスタートを阻害させるようなインプットがすでにない限りは、内燃エンジンをスタートさせる。問い合わせ「スタート可能か？」が「Ｙｅｓ」であれば、内燃エンジンをスタートさせ、回転数をアイドリングに制限すべきかどうかを問い合わせる。結果が「Ｎｏ」であれば、内燃エンジンを「通常モード」でスタートさせ、結果が「Ｙｅｓ」であれば、内燃エンジンの回転数を制限してスタートさせる。
【００２７】
制御器の内部供給電圧を監視してもよく、従ってスタートのためにおよぞ十分なエネルギーがあるかどうかを暗黙に監視してもよい。
【００２８】
エンジン制御器は、好ましくは、エンジンの作動中にすべてのセンサおよびアクチュエータを監視する。エラーが発生すれば、これを制御器が検出し、エラーメモリにファイルする。内燃エンジンの作動終了に関しては、制御器によって多数のケースが識別される。
・ストップスイッチが操作された場合。エラーメモリへのインプットは行わない。
・エラーが検知されて、エンジンが切られた場合。エラーメモリへのインプットを行う。
・エラーが検知されずに内燃エンジンがエンストした場合。エラーメモリへのインプットは行わない。
・燃料不足の場合。エラーメモリへのインプットは行わない。
【００２９】
択一的な実施形態によれば、内燃エンジンの再スタートを、エラーの重みづけ／分類に依存して行ってもよい。たとえば、グリップ加熱のような快適機能が故障していれば、内燃エンジンの再始動を許容する。また、内燃エンジンの作動を阻害しないようなエラーを表示すること、たとえばスタート時の特殊な点火パターンを介してこのようなエラーを検知できるようにすることも考えられる。
【符号の説明】
【００３０】
１          作業機
７          内燃エンジン
１１        ダイナモ
１４        太陽電池
１６        エネルギー蓄積装置
１７        エンジン制御器
１８        点火回路
２０        スタート装置
３２        永久磁石
３３        コイル
４０        ピエゾ素子
【図１】
2011127595.tif 000003
【図２】
2011127595.tif 000004
【図３】
2011127595.tif 000005
【図４】
2011127595.tif 000006
【図５】
2011127595.tif 000007
【図６】
2011127595.tif 000008
【手続補正書】
【提出日】平成22年12月16日(2010.12.16)
【手続補正１】
【補正対象書類名】図面
【補正対象項目名】全図
【補正方法】変更
【補正の内容】
【図１】
2011127595.tif 000009
【図２】
2011127595.tif 000010
【図３】
2011127595.tif 000011
【図４】
2011127595.tif 000012
【図５】
2011127595.tif 000013
【図６】
2011127595.tif 000014